(57)【要約】【課題】観音開き状に開閉する一対の蓋片を容易に且つ確実にロックすることができると共に、ロックとその解除とを繰り返してもロック機能の低下を抑制することができる紙製収納容器を提供すること。【解決手段】第２蓋片８の突端部８ａから突出する差込片１０を第１蓋片７に開口するスリット１１に差込むと、差込片１０の切欠部１０ｃとスリット１１の各端部とが係合することに加え、一対の突出片１２が第２蓋片８の裏面に当接する。よって、第１蓋片７と第２蓋片８とは確実にロックされる。また、突出片１２の突端部は自由端であるので、その反発力は大きく、ロックとその解除とを繰り返しても、ロック機能の低下を抑制することができる。【選択図】      図５
2004306970.tif 000002
【特許請求の範囲】
【請求項１】
底壁と、その底壁の周縁から起立する側壁と、その側壁の縁部で形成する収納口と、その収納口の一部を覆うために対峙する一方の側壁の縁部から延出する第１蓋片と、その第１蓋片の一部と前記収納口の他の部分とを覆うために対峙する他方の側壁の縁部から延出する第２蓋片とを備え、その第２蓋片と第１蓋片とを前記収納口に対して観音開き状に開閉可能な紙製収納容器において、
前記第１蓋片に細幅状に開口するスリットと、
そのスリットの各端部と係合する係合部を有し前記第２蓋片の突端部から突出する差込片と、
その差込片の長手方向の幅より狭い所定幅で前記第１蓋片の突端部から前記スリットの途中に接続する開口部と、
その開口部を挟む両側であって前記スリットの各端部に隣設され、互いに向き合う方向に突出し、前記差込片を前記スリットに差込み、前記差込片の係合部と前記スリットの各端部とを係合させた状態で前記第２蓋片の裏面に当接する一対の突出片とを備えていることを特徴とする紙製収納容器。
【請求項２】
前記突出片の突出幅は、前記スリットの長手方向の幅の略７％から略１１％の範囲で形成されていることを特徴とする請求項１に記載の紙製収納容器。
【請求項３】
前記突出片の両角部は湾曲状に形成されており、
前記両角部のうち前記スリット側の角部と、そのスリット側の角部と連設する側縁部とは、他方の角部よりも緩やかな連続した湾曲状に形成されていることを特徴とする請求項１又は２に記載の紙製収納容器。
【請求項４】
前記突出片の各側縁部間の最大幅は前記スリットの長手方向の幅の略２２％から略２６％の範囲で形成されていることを特徴とする請求項１から３のいずれかに記載の紙製収納箱。
【請求項５】
前記スリットの各端部の幅は、前記差込片の厚みの略１．２倍から略２．２倍の範囲で形成されていることを特徴とする請求項１から４のいずれかに記載の紙製収納容器。
【請求項６】
前記差込片は、前記第２蓋片の突端部から前記スリットの長手方向の幅と略同等の幅で延びる本体と、その本体の各側縁部から突出する一対の耳部と、その一対の耳部の各端部と前記第２蓋片の突端部との間であって互いに対向する位置に前記本体側に向けて切欠する一対の切欠部とを備え、
前記スリットの各端部と係合する前記差込片の係合部は、前記一対の切欠部で構成されており、
その一対の切欠部の間隔は前記スリットの長手方向の幅と略同様に形成されていることを特徴とする請求項１から５のいずれかに記載の紙製収納容器。
【請求項７】
前記切欠部は、前記本体側から外側に向けて広がる略Ｖ字型に形成されており、その最大幅は前記第１蓋片の厚みの略１．２倍から略２．２倍の範囲で形成されていることを特徴とする請求項６に記載の紙製収納容器。
【請求項８】
前記耳部の突出幅は、前記第２蓋片の突端部から前記本体の突端部に向けて減少し、その最大突出幅は、前記スリットの長手方向の幅の略２％以下で形成されていることを特徴とする請求項６又は７に記載の記載の紙製収納容器。
【請求項９】
前記本体の角部と前記耳部の端部とは連続した湾曲状に形成されており、
前記耳部は前記第２蓋片の突端部から前記本体の突端部までの間隔の略７０％から略８５％の範囲で前記本体の側端部に連設されていることを特徴とする請求項６から８のいずれかに記載の紙製収納容器。
【発明の詳細な説明】
【０００１】
【発明の属する技術分野】本発明は、紙製収納容器に関し、特に、観音開き状に開閉する一対の蓋片を容易に且つ確実にロックすることができると共に、ロックとその解除とを繰り返してもロック機能の低下を抑制することができる紙製収納容器に関するものである。
【０００２】
【従来の技術】従来より、被収納物を出し入れするための収納口に対して観音開き状に開閉する一対の蓋片を備えた紙製収納容器がある。この一対の蓋片にはロック機構が備えられているものがあり、このロック機構により一対の蓋片は収納口を覆った状態でロックされ、被収納物が収納口から外部へ飛び出すのが防止されている。
【０００３】
この種の紙製収納容器に関し、例えば、特開２０００−２３８７３８号公報には、一方の蓋片にロックタブを形成し、他方の蓋片にロックスロットを形成し、一方の蓋片を他方の蓋片に重ねると共に、ロックタブをロックスロットに差込んで、ロックタブの係合部をロックスロットと係合させることで、両蓋片をロックする技術が開示されている。
【０００４】
【特許文献１】特開２０００−２３８７４８号公報（第１８段落第４行目〜第７行目等、第３図、第４図等）
【０００５】
【発明が解決しようとする課題】しかしながら、上述したロックスロットは他方の蓋片に切れ込み状に形成されているので、ロックタブを差込みにくいという問題点があった。
【０００６】
そのためロックタブをロックスロットに差し込む場合には、ロックスロットと他方の蓋片の突端部との間の部分を内側に窪ませ、ロックスロットの開口を広げた状態でロックタブをロックスロットに差し込む必要があった。よって、ロックスロットと他方の蓋片の突端部との間の部分が窪んだ状態のままになり、ロック機能が低下するという問題点があり、特に、ロックと解除とを繰り返した場合には、この問題点が顕著に現れていた。
【０００７】
本発明は、この問題を解消すべくなされたものであって、観音開き状に開閉する一対の蓋片を容易に且つ確実にロックすることができると共に、ロックとその解除とを繰り返してもロック機能の低下を抑制することができる紙製収納容器を提供することを目的とするものである。
【０００８】
【課題を解決するための手段】この目的を達成するために請求項１記載の紙製収納容器は、底壁と、その底壁の周縁から起立する側壁と、その側壁の縁部で形成する収納口と、その収納口の一部を覆うために対峙する一方の側壁の縁部から延出する第１蓋片と、その第１蓋片の一部と前記収納口の他の部分とを覆うために対峙する他方の側壁の縁部から延出する第２蓋片とを備え、その第２蓋片と第１蓋片とを前記収納口に対して観音開き状に開閉可能な容器であって、前記第１蓋片に細幅状に開口するスリットと、そのスリットの各端部と係合する係合部を有し前記第２蓋片の突端部から突出する差込片と、その差込片の長手方向の幅より狭い所定幅で前記第１蓋片の突端部から前記スリットの途中に接続する開口部と、その開口部を挟む両側であって前記スリットの各端部に隣設され、互いに向き合う方向に突出し、前記差込片を前記スリットに差込み、前記差込片の係合部と前記スリットの各端部とを係合させた状態で前記第２蓋片の裏面に当接する一対の突出片とを備えている。
【０００９】
この請求項１記載の紙製収納容器によれば、底壁と、その底壁の周縁から起立する側壁とに囲まれる空間によって被収納物を収納する収納空間が形成され、被収納物は側壁の縁部で形成する収納口から出し入れされる。また、収納口は対峙する一方の側壁の縁部から延出する第１蓋片によって一部が覆われ、対峙する他方の側壁の縁部から延出する第２蓋片によって第１蓋片の一部が覆われると共に収納口の他の部分が覆われて封止される。
【００１０】
この際、第２蓋片の突端部から突出する差込片が第１蓋片に開口するスリットに差込まれ、差込片の係合部と前記スリットの各端部とが係合すると共に、開口部を挟む両側であってスリットの各端部に隣設され互いに向き合う方向に突出する一対の突出片が、第２蓋片の裏面に当接する。よって第１蓋片と第２蓋片とがロックされる。
【００１１】
請求項２に記載の紙製収納容器は、請求項１に記載の紙製収納容器において、前記突出片の突出幅は、前記スリットの長手方向の幅の略７％から略１１％の範囲で形成されている。
【００１２】
請求項３に記載の紙製収納容器は、請求項１又は２に記載の紙製収納容器において、前記突出片の両角部は湾曲状に形成されており、前記両角部のうち前記スリット側の角部と、そのスリット側の角部と連設する側縁部とは、他方の角部よりも緩やかな連続した湾曲状に形成されている。
【００１３】
請求項４に記載の紙製収納容器は、請求項１から３のいずれかに記載の紙製収納容器において、前記突出片の各側縁部間の最大幅は前記スリットの長手方向の幅の略２２％から略２６％の範囲で形成されている。
【００１４】
請求項５に記載の紙製収納容器は、請求項１から４のいずれかに記載の紙製収納容器において、前記スリットの各端部の幅は、前記差込片の厚みの略１．２倍から略２．２倍の範囲で形成されている。
【００１５】
請求項６に記載の紙製収納容器は、請求項１から５のいずれかに記載の紙製収納容器において、前記差込片は、前記第２蓋片の突端部から前記スリットの長手方向の幅と略同等の幅で延びる本体と、その本体の各側縁部から突出する一対の耳部と、その一対の耳部の各端部と前記第２蓋片の突端部との間であって互いに対向する位置に前記本体側に向けて切欠する一対の切欠部とを備え、前記スリットの各端部と係合する前記差込片の係合部は、前記一対の切欠部で構成されており、その一対の切欠部の間隔は前記スリットの長手方向の幅と略同様に形成されている。
【００１６】
この請求項６に記載の紙製収納容器によれば、請求項１から５のいずれかに記載の紙製収納容器と同様に作用する上、差込片をスリットに差込む場合には、スリットの長手方向の幅より広い両耳部をスリットの各端部で押し曲げつつ、スリットの長手方向の幅と略同様に形成さている両切欠部をスリットの各端部の位置まで差込み、両切欠部とスリットの各端部とを係合させる。
【００１７】
請求項７に記載の紙製収納容器は、請求項６に記載の紙製収納容器において、前記切欠部は、前記本体側から外側に向けて広がる略Ｖ字型に形成されており、その最大幅は前記第１蓋片の厚みの略１．２倍から略２．２倍の範囲で形成されている。
【００１８】
請求項８に記載の紙製収納容器は、請求項６又は７に記載の紙製収納容器において、前記耳部の突出幅は、前記第２蓋片の突端部から前記本体の突端部に向けて減少し、その最大突出幅は、前記スリットの長手方向の幅の略２％以下で形成されている。
【００１９】
請求項９に記載の紙製収納容器は、請求項６から８のいずれかに記載の紙製収納容器において、前記本体の角部と前記耳部の端部とは連続した湾曲状に形成されており、前記耳部は前記第２蓋片の突端部から前記本体の突端部までの間隔の略７０％から略８５％の範囲で前記本体の側端部に連設されている。
【００２０】
【発明の効果】請求項１に記載の紙製収納容器によれば、第２蓋片の突端部から突出する差込片を第１蓋片に開口するスリットに差込むと、差込片の係合部とスリットの各端部とが係合することに加え、一対の突出片が第２蓋片の裏面に当接する。よって、第１蓋片と第２蓋片とを容易に且つ確実にロックすることができる。また、突出片の突端部は自由端であるので、その反発力は大きく、ロックとその解除とを繰り返しても、ロック機能の低下を抑制することができるという効果がある。
【００２１】
請求項２に記載の紙製収納容器によれば、請求項１記載の紙製収納容器の奏する効果に加え、突出片の突出幅は、スリットの長手方向の幅の略７％から略１１％の範囲で形成されているので、突出片の反発力を一層効果的に発揮させることができるという効果がある。
【００２２】
請求項３に記載の紙製収納容器によれば、請求項１又は２に記載の紙製収納容器の奏する効果に加え、突出片の両角部は湾曲状に形成されているので、取扱上安全であると共に、被収納物が傷付けられるのを防止することができる。また、両角部のうちスリット側の角部と、そのスリット側の角部と連設する側縁部とは、他方の角部よりも緩やかな連続した湾曲状に形成されているので、差込片をスリットに容易に差し込むことができるという効果がある。
【００２３】
請求項４に記載の紙製収納容器によれば、請求項１から３のいずれかに記載の紙製収納容器の奏する効果に加え、突出片の各側縁部間の最大幅はスリットの長手方向の幅の略２２％から略２６％の範囲で形成されているので、突出片の反発力を一層効果的に発揮させることができるという効果がある。
【００２４】
請求項５に記載の紙製収納容器によれば、請求項１から４のいずれかに記載の紙製収納容器の奏する効果に加え、スリットの各端部の幅は、差込片の厚みの略１．２倍から略２．２倍の範囲で形成されているので、差込片を一層容易にスリットに差し込むことができるという効果がある。
【００２５】
請求項６に記載の紙製収納容器によれば、請求項１から５のいずれかに記載の紙製収納容器の奏する効果に加え、一対の切欠部の間隔はスリットの長手方向の幅と略同様に形成されているので、一対の切欠部とスリットの各端部とを確実に係合させることができ、ロック機能を向上させることができるという効果がある。
【００２６】
請求項７に記載の紙製収納容器によれば、請求項６に記載の紙製収納容器の奏する効果に加え、切欠部は、本体側から外側に向けて広がる略Ｖ字型に形成されており、その最大幅は前記第１蓋片の厚みの略１．２倍から略２．２倍の範囲で形成されているので、差込片をスリットに差し込む場合に切欠部とスリットとを容易に係合させることができるという効果がある。
【００２７】
請求項８に記載の紙製収納容器によれば、請求項６又は７に記載の紙製収納容器の奏する効果に加え、耳部の突出幅は、第２蓋片の突端部から本体の突端部に向けて減少し、その最大突出幅は、スリットの長手方向の幅の略２％以下で形成されているので、スリットの長手方向の幅よりも広い耳部であってもスリット内に容易に差し込むことができるという効果がある。
【００２８】
請求項９に記載の紙製収納容器によれば、請求項６から８のいずれかに記載の紙製収納容器の奏する効果に加え、本体の角部と耳部の端部とは連続した湾曲状に形成されており、耳部は第２蓋片の突端部から本体の突端部までの間隔の略７０％から略８５％の範囲で本体の側端部に連設されているので、スリットの長手方向の幅よりも広い耳部であっても一層容易にスリット内に差し込むことができるという効果がある。
【００２９】
【発明の実施の形態】以下、本発明の好ましい実施例について、添付図面を参照して説明する。図１は、本発明の実施例である紙製収納容器１の斜視図であり一対の蓋片を開いた状態を示す図である。一方、図２は一対の蓋片を閉めた状態を示す紙製収納容器１の斜視図である。この紙製収納容器１は、被収納物としてクッキー、チョコレート、キャンディー等の小さな菓子を収納するため容器であり、収納口を封止するために観音開き状に開閉可能な一対の蓋片を備えている。尚、被収納物としては紙製である本収納容器１の耐重量性の許容範囲内であれば、特に、菓子に限定されるものではない。
【００３０】
紙製収納容器１は、内部に被収納物を収納するための収納空間を有する略直方体状に形成されている。紙製収納容器１は、略長方形状の底壁２と、その底壁２の長辺の縁部から起立する一対の長側壁３，４と、底壁２の短辺の縁部から起立する一対の短側壁５，６と、その短側壁５，６と長側壁３，４との縁部によって形成される収納口と、その収納口の一部を覆うために長側壁３の縁部から延出する第１蓋片７と、その第１蓋片７の一部と収納口の他の部分とを覆うために長側壁４の縁部から延出する第２蓋片８と、その第２蓋片８の突端部８ａから突出する差込片１０と、その差込片１０を差し込むために第１蓋片７に細幅状に開口するスリット１１とを備えていてる。
【００３１】
被収納物は、底壁２と長側壁３，４と短側壁５，６とによって囲まれる収納空間に収納されると共に、第１蓋片７と第２蓋片８とを収納口に対して観音開き状に開いた状態で収納口から出し入れされる。一方、収納口を覆うように第１蓋片７を閉じ、その第１蓋片７の一部と収納口の他の部分とを覆うように第２蓋片８を閉じると、収納口は第１蓋片７と第２蓋片８とによって封止される。この際、差込片１０をスリット１１に差し込むことによって第１蓋片７と第２蓋片８とはロックされ被収納物が収納口から外部に飛び出すのを防止することができる。
【００３２】
図３は、紙製収納容器１の展開図である。紙製収納容器１は原紙シートを図中の実線で示す形状に切り抜いて、一点鎖線ａ〜ｅの位置で内側に折り曲げると共に、２点鎖線ｇの位置で外側に折り曲げて、図１に示すような略直方体状に組立られる。本実施例における紙製収納容器１は、略１８０ｍｍ（幅Ｗ）×略８５ｍｍ（奥行きＤ）×略２５ｍｍ（高さＨ）の大きさで構成されている。尚、紙製収納容器１のサイズは、このサイズに限定されるものではなく、如何様にも設定できることは言うまでもない。
【００３３】
展開図において、底壁２の周縁には、一点鎖線ａを介して長側壁３，４が連設され、一点鎖線ｂを介して短側壁５，６が連設されている。このうち長側壁３の縁部には、一点鎖線ｃを介して第１蓋片７が連設されており、第１蓋片７は略４０ｍｍ（Ｌ１）の長さで形成されている。第１蓋片７の突端部付近には、細幅状に開口するスリット１１が設けられている。
【００３４】
ここで、図４（ａ）を参照してスリット１１の付近を詳細に説明する。図４（ｂ）は、スリット１１の付近の拡大図である。スリット１１は、差込片１０を差し込むために第１蓋片７に形成される細幅状の開口であって、その長手方向の幅Ｌ２は略６０ｍｍで形成され、各端部の幅Ｌ３は差込片１０の厚みの略１．２倍から略２．２倍の範囲で形成するのが好ましい。本実施例では、差込片１０を含む原紙シートの厚みは略０．５ｍｍで形成されており、スリット１１の各端部の幅Ｌ３は差込片１０の厚みの略２倍である略１．０ｍｍで形成されている。
【００３５】
スリット１１の各端部には一対の突出片１２が隣設されている。各突出片１２は、差込片１０をスリット１１に差込んだ状態で、第２蓋片８の裏面に当接し、差込片１０がスリット１１から引き抜かれるのを防止するためのものである。各突出片１２は互いに向き合う方向に突出しており、その突出量Ｌ４は、スリット１１の長手方向の幅Ｌ２の略７％から略１１％の範囲で形成するのが好ましく、本実施例では、突出量Ｌ４はスリット１１の長手方向の幅の略８％である略５ｍｍで形成されている。
【００３６】
また、各突出片１２の両角部１２ａ，１２ｂは湾曲状に形成されており、両角部１２ａ，１２ｂのうちスリット１１側の角部１２ａと、そのスリット１１側の角部１２ａと連設する側縁部１２ｃとは、他方の角部１２ｂよりも緩やかな連続した湾曲状に形成されている。よって、角部が直角の場合に比べ、取り扱い上安全である上、スリット１１の幅が中央部に向けて広がるので、差込片１０を容易にスリット１１に差し込むことができる。
【００３７】
突出片１２の最大幅Ｌ５は、スリット１１の長手方向の幅の略２２％から略２６％の範囲で形成することが好ましく、本実施例では、最大幅Ｌ５はスリット１１の長手方向の幅の略２３％である略１４ｍｍで形成されている。このような大きさに突出片１２を形成することで、突出片１２の反発力を効果的に発揮することができる。
【００３８】
再び、図３に戻り説明を続ける。長側壁４の縁部には、一点鎖線ｄを介して第２蓋片８が連設されており、第２蓋片８は略６２ｍｍ（Ｌ６）の長さで構成されている。第２蓋片８の突端部８ａからは、差込片１０が突出している。
【００３９】
ここで、図４（ｂ）を参照して差込片１０について詳細に説明する。図４（ｂ）は、差込片１０の拡大図である。差込片１０は、第２蓋片８の突端部８ａから略１８ｍｍ（Ｌ７）の長さで構成されている。具体的には、第２蓋片８の突端部８ａからスリット１１の長手方向の幅Ｌ２と略同等の幅で延びる本体１０ａと、その本体１０ａの各側縁部から突出する一対の耳部１０ｂと、その一対の耳部１０ｂの各端部と第２蓋片８の突端部８ａとの間であって互いに対向する位置に本体１０ａ側に向けて切欠する一対の切欠部１０ｃとを備えている。
【００４０】
耳部１０ｂは、第２蓋片８の突端部８ａ側から本体１０ａの突端部側に向けて減少するように突出し、その最大突出幅Ｌ８は、スリット１１の長手方向の幅Ｌ２の略２％以下で形成するのが好まい。本実施例では、最大突出幅Ｌ８は、スリット１１の長手方向の幅Ｌ２の略０．８％である略０．４ｍｍで形成されている。また、各耳部１０ｂの各端部は、本体１０ａの各角部と連続した湾曲状に形成されており、本実施例では略１０Ｒの湾曲状に形成されている。結局、耳部１０ｂが本体１０ｂの側端部に連設される部位は、第２蓋片８の突端部８ａから本体１０ａの突端部までの間隔Ｌ７の略７０％から略８５％の範囲で形成される。
【００４１】
このような大きさと形状で耳部１０ｂを構成することにより、たとえ、本体１０ａと耳部１０ｂと合計の幅がスリット１１の長手方向の幅Ｌ２より広くても、差込片１０を容易にスリット１１に差し込むことができる。
【００４２】
切欠部１０ｃは、差込片１０をスリット１１に差し込んだ場合にスリット１１の各端部と係合する部位である。一対の切欠部１０ｃの間隔Ｌ２ａは、スリット１１の長手方向の幅Ｌ２と略同様に形成されている。また、各切欠部１０ｃは、本体１０ａ側から外側に向けて広がる略Ｖ字型に形成されており、その最大幅Ｌ１０は第１蓋片７の厚みの略１．２倍から略２．２倍の範囲で形成するのが好ましい。本実施例では、第１蓋片７の厚みの略２倍の略１．０ｍｍで形成されている。よって、スリット１１の各端部と切欠部１１ｃとを容易且つ確実に係合させることができる。
【００４３】
再び、図３に戻り説明を続ける。短側壁５，６の縁部には、一点鎖線ｅを介してフラップ１３，１４が連設されている。各フラップ１３，１４は収納口の一部を覆い、被収納物が短側壁５，６側から外部に飛び出すのを防止すると共に、第１蓋片７と第２蓋片８とを支持するためのものであり、略２０ｍｍ（Ｌ１１）の長さで構成されている。また、各フラップ１３，１４を折り曲げ易くすべく、一点鎖線ｅ上には所定間隔を開けて複数の切れ目１５が形成されている。
【００４４】
長側壁３，４の各縁部と、その長側壁３，４の各縁部と隣接する短側壁５，６の各縁部とには、一点鎖線ｆを介して連結片１５が連設されている。連結片１５は、長側壁３，４と短側壁５，６とを底壁２に対して起立させるためのものであり、略２５ｍｍの正方形状に形成されている。この連結片１５は対角線上（２点鎖線ｇ参照）に沿って外側に折り曲げられる。尚、連結片１５、フラップ１３，１４、第１蓋片７、第２蓋片８の各角部は取り扱い上の安全のために円弧状に形成されている。
【００４５】
上述したような展開図の原紙シートから、紙製収納容器１を組み立てる場合には、底壁２に対して長側壁３，４と短側壁５，６とを一点鎖線ａ，ｂを介して内側に起立させる。この際、連結片１５も一緒に起立し、連結片１５は２点鎖線ｇを介して外側に折り曲げられる。そして、連結片１５の長側壁３，４の内側面と対峙する面（図中の着色部分）に接着剤を塗布し、連結片１５と長側壁３，４とを接着する。こうして、底壁２を囲むように長側壁３，４と短側壁５，６とが起立し、底壁２と長側壁３，４と短側壁５，６とによって囲まれる収納空間が形成されると共に、長側壁３，４と短側壁５，６との縁部によって収納口が形成される。一方、その収納口を覆う蓋は、第１蓋片７と第２蓋片８とフラップ１３，１４とを１点鎖線ｃ、ｄ、ｅを介して内側に折り曲げることで形成される。
【００４６】
次に、図１，図２，図５を参照して、上述のように構成された紙製収納容器１において、第１蓋片７と第２蓋片８とをロックする場合について説明する。図５は、図２のＶ−Ｖ断面線における部分的な断面図であり、（ａ）から（ｃ）は差込片１０をスリット１１に差し込む様子を時系列に並べた図である。
【００４７】
第１蓋片７と第２蓋片８とをロックする場合には、最初に、図１に示すように反発力によって反っている第１蓋片７を一方の手で押さえ、第１蓋片７の両端部をフラップ１３，１４の上に重ね合わせる（図５（ａ）参照）。
【００４８】
そして、その状態を維持したままで、他方の手で差込片１０を押さえつつ、差込片１０をスリット１１の内部に差し込む。この際、差込片１０の耳部１０ｂは、スリット１１の長手方向の幅Ｌ２よりも広く形成されているので、耳部１０ｂはスリット１１の各端部によって押し曲げられながらスリット１１の内部に差し込まれることになる。また、その影響でスリット１１の各端部に隣設する突出片１２は下向きに押圧される（図５（ｂ）参照）。
【００４９】
差込片１０の切欠部１０ｃの位置まで、差込片１０をスリット１１に差し込むと切欠部１０ｃとスリット１１の各端部とが係合する。よって、差込片１０には、第２蓋片８の反発力により差込片１０をスリット１１から引き抜く方向に力が作用するものの、切欠部１０ｃとスリット１１の各端部との係合によって、差込片１０がスリット１１から引き抜かれるのを防止することができる。また、切欠部１０ｃとスリット１１の各端部とが係合すると、突出片１２に影響を与えていた下向きの力が取り除かれ、突出片１２は上方に向けて反発し第２蓋片８の裏面に当接する（図５（ｃ）参照）。よって、差込片１０がスリット１１から引き抜かれるのを一層確実に防止することができ、第１蓋片８と第２蓋片９とを確実にロックすることができる。また、本実施例の突出片１２は、その反発力が持続可能な大きさに形成されているので、たとえ、ロックと解除とを繰り返した場合であっても、ロック機能の低下を抑制することができる。
【００５０】
以上、実施例に基づき本発明を説明したが、本発明は上記実施例に何ら限定されるものではなく、本発明の趣旨を逸脱しない範囲内で種々の改良変形が可能であることは容易に推察できるものである。
【００５１】
例えば、本実施例の紙製収納容器１では、突出片１２の側縁部を第１蓋片７の突端部と共通化する場合について説明したが、これに限定されるものではなく、突出片１２の側縁部を第１蓋片の突端部とは別に形成するようにしても良い。
【００５２】
また、本実施例では、第１蓋片７と第２蓋片８とは上面に形成される収納口を封止する蓋として説明したが、第１蓋片７と第２蓋片８とを側面に形成される収納口に対する蓋として形成するようにしても良い。
【図面の簡単な説明】
【図１】本発明の実施例である紙製収納容器の斜視図であり、一対の蓋片を開いた状態を示す図である。
【図２】一対の蓋片を閉めた状態を示す紙製収納容器の斜視図である。
【図３】紙製収納容器の展開図である。
【図４】（ａ）は、スリットの付近の拡大図である。（ｂ）は、差込片の拡大図である。
【図５】図２のＶ−Ｖ断面線における部分的な断面図であり、（ａ）から（ｃ）はスリットに差込片を差し込む様子を時系列に並べた図である。
【符号の説明】
１        紙製収納容器
２        底壁
３，４    長側壁（側壁）
５，６    短側壁（側壁）
７        第１蓋片
８        第２蓋片
１０      差込片
１０ａ    本体
１０ｂ    耳部
１０ｃ    切欠部
１１      スリット
【図１】
2004306970.tif 000003
【図２】
2004306970.tif 000004
【図３】
2004306970.tif 000005
【図４】
2004306970.tif 000006
【図５】
2004306970.tif 000007